【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
２次電池及び電源回路を有する携帯機器内に設けられる第１の充電回路と、
充電器内に設けられて、前記第１の充電回路に電力を供給する第２の充電回路とを備える充電システムであって、
前記第２の充電回路は、
ＤＣ電圧を出力するための第１出力端子と、
前記２次電池用の充電電圧を出力するための第２出力端子と、
接地電圧を出力するための第３出力端子と、
ＤＣ電圧を充電電圧として前記第２出力端子に出力させる充電制御手段と、を備え、
前記第１の充電回路は、
前記第１出力端子との接続により前記ＤＣ電圧が入力される第１入力端子と、
前記第２出力端子との接続により前記充電電圧が入力される第２入力端子と、
前記第３出力端子との接続により前記接地電圧が入力される第３入力端子と、
前記携帯機器が前記充電器に装着された場合に、前記電源回路への電力供給元を、前記２次電池から、前記第１入力端子に切り替え、前記第２入力端子から入力された前記充電電圧を前記２次電池に入力させる切替制御手段と、
前記携帯機器が前記充電器に装着されたか否かを検出する検出手段と、
前記検出手段による前記携帯機器が前記充電器に装着されたか否かの検出結果に基づいて、電源制御信号を生成して前記電源回路に入力する電源制御手段と、
前記検出手段による前記携帯機器が前記充電器に装着されたか否かの検出結果と、前記電源制御手段により生成された電源制御信号とに基づいて、充電制御信号を生成する充電制御信号生成手段と、
前記充電制御信号生成手段により生成された充電制御信号に基づいて、前記第２入力端子と前記２次電池との間の通電をオン／オフする通電切替手段と、を備えることを特徴とする充電システム。
【請求項２】
２次電池及び電源回路を有する携帯機器内に設けられる第１の充電回路と、
充電器内に設けられて、前記第１の充電回路に電力を供給する第２の充電回路とを備える充電システムであって、
前記第２の充電回路は、
ＤＣ電圧を出力するための第１出力端子と、
前記２次電池用の充電電圧を出力するための第２出力端子と、
接地電圧を出力するための第３出力端子と、
ＤＣ電圧を充電電圧として前記第２出力端子に出力させる充電制御手段と、を備え、
前記第１の充電回路は、
前記第１出力端子との接続により前記ＤＣ電圧が入力される第１入力端子と、
前記第２出力端子との接続により前記充電電圧が入力される第２入力端子と、
前記第３出力端子との接続により前記接地電圧が入力される第３入力端子と、
前記携帯機器が前記充電器に装着された場合に、前記電源回路への電力供給元を、前記２次電池から、前記第１入力端子に切り替え、前記第２入力端子から入力された前記充電電圧を前記２次電池に入力させる切替制御手段と、
前記第２入力端子から前記２次電池へ整流する整流手段と、を備えることを特徴とする充電システム。
【請求項３】
前記第１の充電回路は、
前記携帯機器が前記充電器に装着されたか否かを検出する検出手段と、
前記検出手段による前記携帯機器が前記充電器に装着されたか否かの検出結果に基づいて、電源制御信号を生成して前記電源回路に入力する電源制御手段と、を備えることを特徴とする請求項２記載の充電システム。
【請求項４】
２次電池及び電源回路を有する携帯機器内に設けられる第１の充電回路と、充電器内に設けられて、前記第１の充電回路に電力を供給する第２の充電回路とを備える充電システムであって、
前記第２の充電回路は、
ＤＣ電圧を出力するための第１出力端子と、
前記２次電池用の充電電圧を出力するための第２出力端子と、
接地電圧を出力するための第３出力端子と、
ＤＣ電圧を充電電圧として前記第２出力端子に出力させる充電制御手段と、を備え、
前記第１の充電回路は、
前記第１出力端子との接続により前記ＤＣ電圧が入力される第１入力端子と、
前記第２出力端子との接続により前記充電電圧が入力される第２入力端子と、
前記第３出力端子との接続により前記接地電圧が入力される第３入力端子と、
前記携帯機器が前記充電器に装着された場合に、前記電源回路への電力供給元を、前記２次電池から、前記第１入力端子に切り替え、前記第２入力端子から入力された前記充電電圧を前記２次電池に入力させる切替制御手段と、
前記携帯機器が前記充電器に装着されたか否かを検出する検出手段と、
前記検出手段による前記携帯機器が前記充電器に装着されたか否かの検出結果に基づいて、電源制御信号を生成して前記電源回路に入力し、前記携帯機器の電源のオン／オフ状態とに基づいて、充電制御信号を生成する電源制御手段と、
前記電源制御手段により生成された充電制御信号に基づいて、前記第２入力端子と前記２次電池との間の通電をオン／オフする通電切替手段と、を備えることを特徴とする充電システム。
【請求項５】
前記第２の充電回路は、前記充電器の温度を検出する温度検出手段を備え、
前記充電制御手段は、前記温度検出手段により検出された温度が異常温度である場合に、前記第２出力端子への前記充電電圧の出力を停止させることを特徴とする請求項１から４のいずれか一項に記載の充電システム。
【請求項６】
前記第２の充電回路は、単数又は複数の報知手段を備え、
前記充電制御手段は、前記第２出力端子への前記充電電圧の出力状態を、前記報知手段に報知させることを特徴とする請求項１から５のいずれか一項に記載の充電システム。
【手続補正２】
【補正対象書類名】明細書
【補正対象項目名】０００６
【補正方法】変更
【補正の内容】
【０００６】
以上の課題を解決するために、請求項１に記載の発明は、
２次電池及び電源回路を有する携帯機器内に設けられる第１の充電回路と、充電器内に設けられて、前記第１の充電回路に電力を供給する第２の充電回路とを備える充電システムであって、前記第２の充電回路は、ＤＣ電圧を出力するための第１出力端子と、前記２次電池用の充電電圧を出力するための第２出力端子と、接地電圧を出力するための第３出力端子と、ＤＣ電圧を充電電圧として前記第２出力端子に出力させる充電制御手段と、を備え、前記第１の充電回路は、前記第１出力端子との接続により前記ＤＣ電圧が入力される第１入力端子と、前記第２出力端子との接続により前記充電電圧が入力される第２入力端子と、前記第３出力端子との接続により前記接地電圧が入力される第３入力端子と、前記携帯機器が前記充電器に装着された場合に、前記電源回路への電力供給元を、前記２次電池から、前記第１入力端子に切り替え、前記第２入力端子から入力された前記充電電圧を前記２次電池に入力させる切替制御手段と、前記携帯機器が前記充電器に装着されたか否かを検出する検出手段と、前記検出手段による前記携帯機器が前記充電器に装着されたか否かの検出結果に基づいて、電源制御信号を生成して前記電源回路に入力する電源制御手段と、前記検出手段による前記携帯機器が前記充電器に装着されたか否かの検出結果と、前記電源制御手段により生成された電源制御信号とに基づいて、充電制御信号を生成する充電制御信号生成手段と、前記充電制御信号生成手段により生成された充電制御信号に基づいて、前記第２入力端子と前記２次電池との間の通電をオン／オフする通電切替手段と、を備えることを特徴とする。
【手続補正３】
【補正対象書類名】明細書
【補正対象項目名】０００７
【補正方法】変更
【補正の内容】
【０００７】
また、請求項２に記載の発明は、
２次電池及び電源回路を有する携帯機器内に設けられる第１の充電回路と、充電器内に設けられて、前記第１の充電回路に電力を供給する第２の充電回路とを備える充電システムであって、前記第２の充電回路は、ＤＣ電圧を出力するための第１出力端子と、前記２次電池用の充電電圧を出力するための第２出力端子と、接地電圧を出力するための第３出力端子と、ＤＣ電圧を充電電圧として前記第２出力端子に出力させる充電制御手段と、を備え、前記第１の充電回路は、前記第１出力端子との接続により前記ＤＣ電圧が入力される第１入力端子と、前記第２出力端子との接続により前記充電電圧が入力される第２入力端子と、前記第３出力端子との接続により前記接地電圧が入力される第３入力端子と、前記携帯機器が前記充電器に装着された場合に、前記電源回路への電力供給元を、前記２次電池から、前記第１入力端子に切り替え、前記第２入力端子から入力された前記充電電圧を前記２次電池に入力させる切替制御手段と、前記第２入力端子から前記２次電池へ整流する整流手段と、を備えることを特徴とする。
【手続補正４】
【補正対象書類名】明細書
【補正対象項目名】０００８
【補正方法】変更
【補正の内容】
【０００８】
また、例えば、前記第１の充電回路は、前記携帯機器が前記充電器に装着されたか否かを検出する検出手段と、前記検出手段による前記携帯機器が前記充電器に装着されたか否かの検出結果に基づいて、電源制御信号を生成して前記電源回路に入力する電源制御手段と、を備えることとして構成してもよい。
【手続補正５】
【補正対象書類名】明細書
【補正対象項目名】０００９
【補正方法】変更
【補正の内容】
【０００９】
また、請求項４に記載の発明は、２次電池及び電源回路を有する携帯機器内に設けられる第１の充電回路と、充電器内に設けられて、前記第１の充電回路に電力を供給する第２の充電回路とを備える充電システムであって、前記第２の充電回路は、ＤＣ電圧を出力するための第１出力端子と、前記２次電池用の充電電圧を出力するための第２出力端子と、接地電圧を出力するための第３出力端子と、ＤＣ電圧を充電電圧として前記第２出力端子に出力させる充電制御手段と、を備え、前記第１の充電回路は、前記第１出力端子との接続により前記ＤＣ電圧が入力される第１入力端子と、前記第２出力端子との接続により前記充電電圧が入力される第２入力端子と、前記第３出力端子との接続により前記接地電圧が入力される第３入力端子と、前記携帯機器が前記充電器に装着された場合に、前記電源回路への電力供給元を、前記２次電池から、前記第１入力端子に切り替え、前記第２入力端子から入力された前記充電電圧を前記２次電池に入力させる切替制御手段と、前記携帯機器が前記充電器に装着されたか否かを検出する検出手段と、前記検出手段による前記携帯機器が前記充電器に装着されたか否かの検出結果に基づいて、電源制御信号を生成して前記電源回路に入力し、前記携帯機器の電源のオン／オフ状態とに基づいて、充電制御信号を生成する電源制御手段と、前記電源制御手段により生成された充電制御信号に基づいて、前記第２入力端子と前記２次電池との間の通電をオン／オフする通電切替手段と、を備えることを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１６
【補正方法】変更
【補正の内容】
【００１６】
以下、添付図面を参照して本発明に係る好適な第１〜第６の実施の形態を順に詳細に説明する。
【手続補正９】
【補正対象書類名】明細書
【補正対象項目名】００２２
【補正方法】変更
【補正の内容】
【００２２】
端子Ｐ１からＧＮＤへの間に、抵抗１１，１２が順に直列に接続されている。また、抵抗１１，１２の抵抗値をＲ１，Ｒ２とすると、Ｒ２≫Ｒ１を満たすものとする。また、ダイオード１３は、端子Ｐ１と電源回路１０１との間に接続され、端子Ｐ１から電源回路１０１への方向に整流する。また、端子Ｐ２とＧＮＤとの間に２次電池１５が接続される。また、ダイオード１３の降下電圧をＶｆ１とする。
【手続補正１０】
【補正対象書類名】明細書
【補正対象項目名】００７２
【補正方法】変更
【補正の内容】
【００７２】
また、端子Ｐ１のＤＣ電圧が、抵抗５２１を介してデジタルトランジスタ５２のベースに入力され、デジタルトランジスタ５２がオンされる。デジタルトランジスタ５２のオンにより、ＦＥＴ５１のゲート電圧が接地されてローになり、ＦＥＴ５１がオンされる。このとき、第１の充電器装着時動作と同様に、デジタルカメラ１４０が動作中で充電器２００に装着された場合でも、電源が切れることなく、電源回路１０１にＤＣ電圧のＶｆ１降下電圧が入力される。
【手続補正１１】
【補正対象書類名】図面
【補正対象項目名】図１
【補正方法】変更
【補正の内容】
【図１】
2005245170.tif 000001